【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
風力によって回転するロータと、
前記ロータの回転により駆動される発電機と、
インバータ装置と、
電力系統の周波数が所定の定格周波数以下となった場合であって、かつ、前記発電機の回転数が第一の所定値以上である場合に、前記インバータ装置を制御し、前記ロータの慣性エネルギーを発電出力に変換・回収することで、前記回転数の減少を伴いつつ、前記発電機の前記発電出力を増加させるように制御する制御装置と、を備えたことを特徴とする風力発電装置。
【請求項２】
前記制御装置は、前記発電機の回転数が第一の所定値未満となった場合に、前記インバータ装置を制御し、前記発電機の前記発電出力を減少させるように制御することを特徴とする請求項１に記載の風力発電装置。
【請求項３】
前記制御装置は、前記発電機の前記発電出力が所定の定格出力に達した場合に、前記インバータ装置を制御し、該定格出力を維持するように制御することを特徴とする請求項１又は請求項２に記載の風力発電装置。
【請求項４】
風力によって回転するロータと、
前記ロータの回転により駆動される発電機と、
インバータ装置と、
電力系統の周波数が所定の定格周波数以上となった場合であって、且つ、前記発電機の回転数が第二の所定値未満である場合に、前記インバータ装置を制御し、前記風力を前記ロータの慣性エネルギーに変換・保存することで、前記回転数の増加を伴いつつ、前記発電機の前記発電出力を減少させるように制御する制御装置と、を備えたことを特徴とする風力発電装置。
【請求項５】
前記制御装置は、前記発電機の回転数が第二の所定値以上となった場合に、前記インバータ装置を制御し、前記発電機の前記発電出力を増加させるように制御することを特徴とする請求項４に記載の風力発電装置。
【請求項６】
前記制御装置は、前記発電機の前記発電出力が所定の発電出力まで低下したときに、前記インバータ装置を制御し、該所定の発電出力を維持するように制御することを特徴とする請求項４又は請求項５に記載の風力発電装置。
【請求項７】
風力によって回転するロータと、前記ロータの回転により駆動される発電機と、インバータ装置と、を備えた風量発電装置の制御方法であって、
電力系統の周波数が所定の定格周波数以下となった場合であって、かつ、前記発電機の回転数が第一の所定値以上である場合に、前記インバータ装置を制御し、前記ロータの慣性エネルギーを発電出力に変換・回収することで、前記回転数の減少を伴いつつ、前記発電機の前記発電出力を増加させるように制御することを特徴とする風力発電装置の制御方法。
【請求項８】
風力によって回転するロータと、前記ロータの回転により駆動される発電機と、インバータ装置と、を備えた風力発電装置の制御方法であって、
電力系統の周波数が所定の定格周波数以上となった場合であって、かつ、前記発電機の回転数が第二の所定値未満である場合に、前記インバータ装置を制御し、前記風力を前記ロータの慣性エネルギーに変換・保存することで、前記回転数の増加を伴いつつ、前記発電機の前記発電出力を減少させるように制御することを特徴とする風力発電装置の制御方法。
【請求項９】
風力によって回転するロータと、前記ロータの回転により駆動される発電機と、インバータ装置と、を有する複数の風力発電装置と、
前記複数の風力発電装置に対して所定の制御信号を送信することにより前記複数の風力発電装置を制御する管理制御装置と、を備え、
前記管理制御装置は、電力系統の周波数が所定の定格周波数以下となった場合に、前記風力発電装置に対して発電出力を増加させる第一の制御信号を送信し、
前記各風力発電装置は、前記第一の制御信号に応答して、自己の前記発電機の回転数が第一の所定値以上である場合に、前記インバータ装置を制御し、前記ロータの慣性エネルギーを発電出力に変換・回収することで、前記回転数の減少を伴いつつ、前記発電機の前記発電出力を増加させることを特徴とする風力発電システム。
【請求項１０】
風力によって回転するロータと、前記ロータの回転により駆動される発電機と、インバータ装置と、を有する複数の風力発電装置と、
前記複数の風力発電装置に対して所定の制御信号を送信することにより前記複数の風力発電装置を制御する管理制御装置と、を備え、
前記管理制御装置は、電力系統の周波数が所定の定格周波数以上となった場合に、前記風力発電装置に対して発電出力を減少させる第二の制御信号を送信し、
前記各風力発電装置は、前記第二の制御信号に応答して、自己の前記発電機の回転数が第二の所定値未満である場合に、前記インバータ装置を制御し、前記風力を前記ロータの慣性エネルギーに変換・保存することで、前記回転数の増加を伴いつつ、前記発電機の前記発電出力を減少させることを特徴とする風力発電システム。
【請求項１１】
風力によって回転するロータと、前記ロータの回転により駆動される発電機と、インバータ装置と、を有する複数の風力発電装置と、前記複数の風力発電装置に対して所定の制御信号を送信することにより前記複数の風力発電装置を制御する管理制御装置と、を備えた風力発電システムの制御方法であって、
前記管理制御装置により、電力系統の周波数が所定の定格周波数以下となった場合に、前記風力発電装置に対して発電出力を増加させる第一の制御信号を送信するステップと、
前記各風力発電装置により、前記第一の制御信号に応答して、自己の前記発電機の回転数が第一の所定値以上である場合に、前記インバータ装置を制御し、前記ロータの慣性エネルギーを発電出力に変換・回収することで、前記回転数の減少を伴いつつ、前記発電機の前記発電出力を増加させるステップと、を備えたことを特徴とする風力発電システムの制御方法。
【請求項１２】
風力によって回転するロータと、前記ロータの回転により駆動される発電機と、インバータ装置と、を有する複数の風力発電装置と、前記複数の風力発電装置に対して所定の制御信号を送信することにより前記複数の風力発電装置を制御する管理制御装置と、を備えた風力発電システムの制御方法であって、
前記管理制御装置により、電力系統の周波数が所定の定格周波数以上となった場合に、前記風力発電装置に対して発電出力を減少させる第二の制御信号を送信するステップと、
前記各風力発電装置は、前記第二の制御信号に応答して、自己の前記発電機の回転数が第二の所定値未満である場合に、前記インバータ装置を制御し、前記風力を前記ロータの慣性エネルギーに変換・保存することで、前記回転数の増加を伴いつつ、前記発電機の前記発電出力を減少させるステップと、を供えたことを特徴とする風力発電システムの制御方法。
【手続補正２】
【補正対象書類名】明細書
【補正対象項目名】０００８
【補正方法】変更
【補正の内容】
【０００８】
上記課題を解決するために、本発明は以下の手段を採用する。
本発明は、風力によって回転するロータと、前記ロータの回転により駆動される発電機と、インバータ装置と、電力系統の周波数が所定の定格周波数以下となった場合であって、かつ、前記発電機の回転数が第一の所定値以上である場合に、前記インバータ装置を制御し、前記ロータの慣性エネルギーを発電出力に変換・回収することで、前記回転数の減少を伴いつつ、前記発電機の前記発電出力を増加させるように制御する制御装置と、を備えたことを特徴とする風力発電装置を提供する。
【手続補正３】
【補正対象書類名】明細書
【補正対象項目名】００１０
【補正方法】変更
【補正の内容】
【００１０】
上記した風力発電装置において、前記制御装置は、前記発電機の回転数が第一の所定値未満となった場合に、前記インバータ装置を制御し、前記発電機の前記発電出力を減少させるように制御することが好ましい。
【手続補正４】
【補正対象書類名】明細書
【補正対象項目名】００１２
【補正方法】変更
【補正の内容】
【００１２】
上記した風力発電装置において、前記制御装置は、前記発電機の前記発電出力が所定の定格出力に達したときに、前記インバータ装置を制御し、該定格出力を維持するように制御することが好ましい。
【手続補正５】
【補正対象書類名】明細書
【補正対象項目名】００１４
【補正方法】変更
【補正の内容】
【００１４】
また、本発明は、風力によって回転するロータと、前記ロータの回転により駆動される発電機と、インバータ装置と、電力系統の周波数が所定の定格周波数以上となった場合であって、且つ、前記発電機の回転数が第二の所定値未満である場合に、前記インバータ装置を制御し、前記風力を前記ロータの慣性エネルギーに変換・保存することで、前記回転数の増加を伴いつつ、前記発電機の前記発電出力を減少させるように制御する制御装置と、を備えたことを特徴とする風力発電装置を提供する。
【手続補正６】
【補正対象書類名】明細書
【補正対象項目名】００１６
【補正方法】変更
【補正の内容】
【００１６】
上記した風力発電装置において、前記発電機の回転数が第二の所定値以上となった場合に、前記インバータ装置を制御し、前記発電機の前記発電出力を増加させるように制御することが好ましい。
【手続補正７】
【補正対象書類名】明細書
【補正対象項目名】００１８
【補正方法】変更
【補正の内容】
【００１８】
上記した風力発電装置において、前記発電機の前記発電出力が所定の発電出力まで低下したときに、前記インバータ装置を制御し、該所定の発電出力を維持するように制御することが好ましい。
【手続補正８】
【補正対象書類名】明細書
【補正対象項目名】００２０
【補正方法】変更
【補正の内容】
【００２０】
本発明は、風力によって回転するロータと、前記ロータの回転により駆動される発電機と、インバータ装置と、を備えた風量発電装置の制御方法であって、電力系統の周波数が所定の定格周波数以下となった場合であって、かつ、前記発電機の回転数が第一の所定値以上である場合に、前記インバータ装置を制御し、前記ロータの慣性エネルギーを発電出力に変換・回収することで、前記回転数の減少を伴いつつ、前記発電機の前記発電出力を増加させるように制御することを特徴とする風力発電装置の制御方法を提供する。
【手続補正９】
【補正対象書類名】明細書
【補正対象項目名】００２１
【補正方法】変更
【補正の内容】
【００２１】
また、風力によって回転するロータと、前記ロータの回転により駆動される発電機と、インバータ装置と、を備えた風力発電装置の制御方法であって、電力系統の周波数が所定の定格周波数以上となった場合であって、かつ、前記発電機の回転数が第二の所定値未満である場合に、前記インバータ装置を制御し、前記風力を前記ロータの慣性エネルギーに変換・保存することで、前記回転数の増加を伴いつつ、前記発電機の前記発電出力を減少させるように制御することを特徴とする風力発電装置の制御方法を提供する。
【手続補正１０】
【補正対象書類名】明細書
【補正対象項目名】００２２
【補正方法】変更
【補正の内容】
【００２２】
さらに、本発明は、風力によって回転するロータと、前記ロータの回転により駆動される発電機と、インバータ装置と、を有する複数の風力発電装置と、前記複数の風力発電装置に対して所定の制御信号を送信することにより前記複数の風力発電装置を制御する管理制御装置と、を備え、前記管理制御装置は、電力系統の周波数が所定の定格周波数以下となった場合に、前記風力発電装置に対して発電出力を増加させる第一の制御信号を送信し、前記各風力発電装置は、前記第一の制御信号に応答して、自己の前記発電機の回転数が第一の所定値以上である場合に、前記インバータ装置を制御し、前記ロータの慣性エネルギーを発電出力に変換・回収することで、前記回転数の減少を伴いつつ、前記発電機の前記発電出力を増加させることを特徴とする風力発電システムを提供する。
【手続補正１１】
【補正対象書類名】明細書
【補正対象項目名】００２３
【補正方法】変更
【補正の内容】
【００２３】
本発明は、風力によって回転するロータと、前記ロータの回転により駆動される発電機と、インバータ装置と、を有する複数の風力発電装置と、前記複数の風力発電装置に対して所定の制御信号を送信することにより前記複数の風力発電装置を制御する管理制御装置と、を備え、前記管理制御装置は、電力系統の周波数が所定の定格周波数以上となった場合に、前記風力発電装置に対して発電出力を減少させる第二の制御信号を送信し、前記各風力発電装置は、前記第二の制御信号に応答して、自己の前記発電機の回転数が第二の所定値未満である場合に、前記インバータ装置を制御し、前記風力を前記ロータの慣性エネルギーに変換・保存することで、前記回転数の増加を伴いつつ、前記発電機の前記発電出力を減少させることを特徴とする風力発電システムを提供する。
【手続補正１２】
【補正対象書類名】明細書
【補正対象項目名】００２４
【補正方法】変更
【補正の内容】
【００２４】
本発明は、風力によって回転するロータと、前記ロータの回転により駆動される発電機と、インバータ装置と、を有する複数の風力発電装置と、前記複数の風力発電装置に対して所定の制御信号を送信することにより前記複数の風力発電装置を制御する管理制御装置と、を備えた風力発電システムの制御方法であって、前記管理制御装置により、電力系統の周波数が所定の定格周波数以下となった場合に、前記風力発電装置に対して発電出力を増加させる第一の制御信号を送信するステップと、前記各風力発電装置により、前記第一の制御信号に応答して、自己の前記発電機の回転数が第一の所定値以上である場合に、前記インバータ装置を制御し、前記ロータの慣性エネルギーを発電出力に変換・回収することで、前記回転数の減少を伴いつつ、前記発電機の前記発電出力を増加させるステップと、を備えたことを特徴とする風力発電システムの制御方法を提供する。
【手続補正１３】
【補正対象書類名】明細書
【補正対象項目名】００２５
【補正方法】変更
【補正の内容】
【００２５】
本発明は、風力によって回転するロータと、前記ロータの回転により駆動される発電機と、インバータ装置と、を有する複数の風力発電装置と、前記複数の風力発電装置に対して所定の制御信号を送信することにより前記複数の風力発電装置を制御する管理制御装置と、を備えた風力発電システムの制御方法であって、前記管理制御装置により、電力系統の周波数が所定の定格周波数以上となった場合に、前記風力発電装置に対して発電出力を減少させる第二の制御信号を送信するステップと、前記各風力発電装置は、前記第二の制御信号に応答して、自己の前記発電機の回転数が第二の所定値未満である場合に、前記インバータ装置を制御し、前記風力を前記ロータの慣性エネルギーに変換・保存することで、前記回転数の増加を伴いつつ、前記発電機の前記発電出力を減少させるステップと、を供えたことを特徴とする風力発電システムの制御方法を提供する。